(57)【要約】      （修正有）【課題】電力供給遮断中に、画像読取デバイスに原稿がセットされた時点で、実行される機能を予測して、前記画像読取デバイス以外に必要なデバイスを選択し、選択されたデバイスへ事前に電力を供給する。【解決手段】原稿を原稿台２６を置いて、開閉部材２４を閉止しても反応しないことになる。そこで、原稿を置いた開閉部材２４を閉止した後に、節電復帰動作（節電ボタン２１９の操作、或いは画像読取機能を含む処理機能の選択）があった場合に、復帰処理後、ＵＩタッチパネル２１６へ原稿のサイズ、向きを指定する画面を表示し、同時に、開閉部材２４を開閉動作する旨のメッセージ（例えば、『原稿台の蓋を一旦開放し、ゆっくり閉めてください。』）を表示するようにした。【選択図】図３
2011259077.tif 000002
【特許請求の範囲】
【請求項１】
原稿を置く原稿台と、この原稿台へ原稿を置くための開放位置、並びに当該原稿を前記原稿台とによって挟み込む閉止位置の少なくとも２位置間を移動可能な開閉部材と、前記開閉部材の開放位置から閉止位置への閉止動作を検知する閉止動作検知手段と、前記閉止動作検知手段で閉止動作を検知したときに前記原稿台に置かれている原稿のサイズ及び向きを判定する判定手段と、を備え、画像読取指示があった場合に前記原稿の画像を読み取る画像処理を実行する画像読取処理手段と、
前記画像読取処理手段で読み取った画像データ、或いは前記画像読取り処理手段以外の外部から受け付けた画像データに基づいて、記録用紙に画像を形成する画像形成処理手段と、
少なくとも前記画像読取処理手段及び画像形成処理手段を含む複数の画像処理手段のそれぞれに対して、独立して電力の供給又は供給遮断を切り替える切替手段と、
前記画像読取処理手段が電力遮断状態のときに、節電解除指示があった場合に、電力供給が再開した後、前記原稿のサイズ及び向きを手動入力させるか、或いは前記開閉部材の開閉動作をさせるかの選択を促す報知を実行する報知手段と、
前記報知手段の報知に従った操作に基づき、前記原稿の向き及びサイズが確定した時点で前記画像読取デバイスの画像読取処理を実行する画像読取処理実行制御手段と、
を有する画像処理装置。
【請求項２】
前記節電状態で、前記開閉部材の閉止位置から開放位置への開放動作を検知する開放動作検知手段をさらに有し、
前記節電解除指示の契機が、前記開放動作検知手段で検知する開閉部材の開放動作であり、
電力供給が再開するまでの間に、前記原稿が前記原稿台に置かれ、かつ前記開閉部材が閉止されることで、前記閉止動作検知手段による開閉部材の閉止動作を検知できない場合に、前記報知手段による報知を実行する請求項１記載の画像処理装置。
【請求項３】
前記請求項１又は請求項２に記載の画像処理装置において、
コンピュータを、
前記画像読取処理手段が電力遮断状態のときに、節電解除指示があった場合に、電力供給が再開し、
電力供給再開後、前記原稿のサイズ及び向きを手動入力させるか、或いは前記開閉部材の開閉動作をさせるかの選択を促す報知を実行し、
前記報知に従った操作に基づき、前記原稿の向き及びサイズが確定した時点で画像読取処理を実行する、画像読取制御装置として実行させる電力供給制御プログラム。
【発明の詳細な説明】
【技術分野】
【０００１】
本発明は、画像処理装置、電力供給制御プログラムに関する。
【背景技術】
【０００２】
特許文献１には、変化条件、使用者条件、実行条件に基づいて、利用される可能性が高い機能が抽出され、その機能実行のために動作されるリソースを前もって電源を供給して予備動作させることが開示されている。
【先行技術文献】
【特許文献】
【０００３】
【特許文献１】特開２００８−１６０５２４公報
【発明の概要】
【発明が解決しようとする課題】
【０００４】
本発明は、電力供給遮断中に、画像読取デバイスに原稿がセットされた時点で、実行される機能を予測して、前記画像読取デバイス以外に必要なデバイスを選択し、選択されたデバイスへ事前に電力を供給することができる画像処理装置、電力供給制御プログラムを得ることが目的である。
【課題を解決するための手段】
【０００５】
請求項１に記載の発明は、原稿を置く原稿台と、この原稿台へ原稿を置くための開放位置、並びに当該原稿を前記原稿台とによって挟み込む閉止位置の少なくとも２位置間を移動可能な開閉部材と、前記開閉部材の開放位置から閉止位置への閉止動作を検知する閉止動作検知手段と、前記閉止動作検知手段で閉止動作を検知したときに前記原稿台に置かれている原稿のサイズ及び向きを判定する判定手段と、を備え、画像読取指示があった場合に前記原稿の画像を読み取る画像処理を実行する画像読取処理手段と、前記画像読取処理手段で読み取った画像データ、或いは前記画像読取り処理手段以外の外部から受け付けた画像データに基づいて、記録用紙に画像を形成する画像形成処理手段と、少なくとも前記画像読取処理手段及び画像形成処理手段を含む複数の画像処理手段のそれぞれに対して、独立して電力の供給又は供給遮断を切り替える切替手段と、前記画像読取処理手段が電力遮断状態のときに、節電解除指示があった場合に、電力供給が再開した後、前記原稿のサイズ及び向きを手動入力させるか、或いは前記開閉部材の開閉動作をさせるかの選択を促す報知を実行する報知手段と、前記報知手段の報知に従った操作に基づき、前記原稿の向き及びサイズが確定した時点で前記画像読取デバイスの画像読取処理を実行する画像読取処理実行制御手段と、を有している。
【０００６】
請求項２に記載の発明は、前記請求項１に記載の発明において、前記節電状態で、前記開閉部材の閉止位置から開放位置への開放動作を検知する開放動作検知手段をさらに有し、前記節電解除指示の契機が、前記開放動作検知手段で検知する開閉部材の開放動作であり、電力供給が再開するまでの間に、前記原稿が前記原稿台に置かれ、かつ前記開閉部材が閉止されることで、前記閉止動作検知手段による開閉部材の閉止動作を検知できない場合に、前記報知手段による報知を実行する。
【０００７】
請求項３に記載の発明は、前記請求項１又は請求項２に記載の画像処理装置において、コンピュータを、前記画像読取処理手段が電力遮断状態のときに、節電解除指示があった場合に、電力供給が再開し、電力供給再開後、前記原稿のサイズ及び向きを手動入力させるか、或いは前記開閉部材の開閉動作をさせるかの選択を促す報知を実行し、前記報知に従った操作に基づき、前記原稿の向き及びサイズが確定した時点で画像読取処理を実行する、画像読取制御装置として実行させる電力供給制御プログラムである。
【発明の効果】
【０００８】
請求項１、請求項３、請求項４記載の発明によれば、電力供給遮断中に、画像読取デバイスに原稿がセットされた時点で、実行される機能を予測して、前記画像読取デバイス以外に必要なデバイスを選択し、選択されたデバイスへ事前に電力を供給することができる。
【０００９】
請求項２記載の発明によれば、開閉部材の開放動作を節電復帰要因とすることができる。
【図面の簡単な説明】
【００１０】
【図１】本実施の形態に係る画像処理装置の概略図である。
【図２】本実施の形態に係るメインコントローラと電源装置との概略構成図である。
【図３】本実施の形態に係る画像処理装置の斜視図である。
【図４】本実施の形態に係る画像読取部の原稿台に置かれた原稿のサイズ及び向きを判別するための機能ブロック図である。
【図５】本実施の形態に係る画像読取部の原稿台に置かれた原稿のサイズ及び向きを判別するための制御を示すフローチャートである。
【図６】変形例に係る画像読取部の原稿台に置かれた原稿のサイズ及び向きを判別するための制御を示すフローチャートである。
【発明を実施するための形態】
【００１１】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００１２】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００１３】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００１４】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００１５】
図２は、前記メインコントローラ２００によって制御されるデバイス、並びにメインコントローラ２００、並びに各デバイスへ電源を供給するための電源装置２０２の電源ラインを主体とした概略構成図である。
【００１６】
（メインコントローラ２００）
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８、節電ボタン２１９が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００１７】
なお、節電ボタン２１９は、所謂ハードスイッチ（物理的に操作するスイッチ）であり、押圧操作する毎に、装置に対して、節電、節電解除を交互に指示するようになっている。なお、この節電に関しては後述する。
【００１８】
本実施の形態のメインコントローラ２００は、接続されるデバイスに対して、待機モード、省電力モード、スリープモードの３種類のモードを指示するようになっている。待機モードは電力供給状態であり、スリープモードは電力遮断状態である。また、省電力モードは、ジョブの受付から実行開始までの時間を短縮するために電力を必要する場合がある一部のデバイスへ指示するモードである。
【００１９】
メインコントローラ２００では、３種類のモードの何れかを指示するが、省電力モードを持たないデバイスに関しては、省電力モードの指示に対してスリープモード又は待機モードへ移行する場合がある。
【００２０】
Ｉ／Ｏ２１０には、タイマ回路２２０、通信回線Ｉ／Ｆ２２２が接続されている。さらに、Ｉ／Ｏ２１０には、デバイス選択Ｉ／Ｆ２３４に接続されている。
【００２１】
デバイス選択Ｉ／Ｆ２３４は、ファクシミリ通信制御回路（モデム）２３６、画像読取部２３８、画像形成部２４０の各デバイスに接続されている。なお、ＵＩタッチパネル２１６は、デバイスとして認識される場合がある。
【００２２】
なお、前記タイマ回路２２０は、前記ファクシミリ通信制御回路２３６、画像読取部２３８、画像形成部２４０、ＵＩタッチパネル２１６を節電状態（電源非供給状態）とするための契機として、初期設定時間の計時を行うものである。
【００２３】
メインコントローラ２００及び各デバイス（ファクシミリ通信制御回路２３６、画像読取部２３８、画像形成部２４０）は、電源装置２０２から電源が供給される（図２の点線参照）。なお、図２では、電源線を１本の点線で示しているが、実際には２本〜３本の配線である。なお、図示は省略したが、ＵＩタッチパネル２１６は、メインコントローラ２００とは別に電源の供給を受けており、電源供給制御回路２５２から電力供給又は遮断の制御を受けるようになっている。
【００２４】
（電源装置２０２）
図２に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００２５】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０、ＵＩタッチパネル２１６）への電源供給線を導通/非導通させるためのスイッチング制御を行う。
【００２６】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００２７】
また、第２の電源部２５０は、高電圧電源生成部（主として、画像形成部２４０の定着部に用いられるヒータ電源用）２５０Ｈと低電圧電源生成部（ＬＶＰＳ）２５０Ｌを備えている。高電圧電源生成部２５０Ｈは主として画像形成部２４０の帯電部、現像部、転写部等で使用される電源である。
【００２８】
第２の電源部２５０の高電圧電源生成部２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００２９】
また、本実施の形態では、上記機能別の電源供給系統に加え、第２の電源部２５０の高電圧電源生成部２５０Ｈ及び低電圧電源生成部（ＬＶＰＳ）２５０Ｌは、画像形成部専用電源供給部２６７が接続されている。
【００３０】
画像形成部２４０では、定着部の温度管理において、画像形成処理を即実行可能な待機モードのときの温度よりも低いが、比較的に迅速に画像形成処理可能温度に立ち上げることが可能な温度を維持する場合がある（省電力モード）。
【００３１】
このため、節電中は、スリープモードとして、電力供給を遮断して消費電力を抑制するが、画像形成部２４０では、スリープモードになるまでの間に、一時的に省電力モード状態を維持し、その後、スリープモードへ遷移させるために前記画像形成部専用電源供給部２６７が設けられている。
【００３２】
画像読取機能電源供給部２５８は、低電圧電源生成部（ＬＶＰＳ）２５０Ｌを入力源として、第２のサブ電源スイッチ２６８（以下、「ＳＷ−２」という場合がある。）を介して、画像読取部２３８に接続されている。
【００３３】
画像形成機能電源供給部２６０は、高電圧電源生成部２５０Ｈと低電圧電源生成部（ＬＶＰＳ）２５０Ｌを入力源として、第３のサブ電源スイッチ２７０（以下、「ＳＷ−３」という場合がある。）を介して、画像形成部２４０に接続されている。
【００３４】
画像複写機能電源供給部２６２は、高電圧電源生成部２５０Ｈと低電圧電源生成部（ＬＶＰＳ）２５０Ｌを入力源として、第４のサブ電源スイッチ２７２（以下、「ＳＷ−４」という場合がある。）を介して、画像読取部２３８及び画像形成部２４０に接続されている。
【００３５】
ファクシミリ受信機能電源供給部２６４は、高電圧電源生成部２５０Ｈと低電圧電源生成部（ＬＶＰＳ）２５０Ｌを入力源として、第５のサブ電源スイッチ２７４（以下、「ＳＷ−５」という場合がある。）を介して、ファクシミリ通信制御回路２３６及び画像形成部２４０に接続されている。
【００３６】
ファクシミリ送信機能電源供給部２６６は、低電圧電源生成部（ＬＶＰＳ）２５０Ｌを入力源として、第６のサブ電源スイッチ２７６（以下、「ＳＷ−６」という場合がある。）を介して、ファクシミリ通信制御回路２３６及び画像読取部２３８に接続されている（通信レポート等の出力を除く）。
【００３７】
画像形成部専用電源供給部２６７は、高電圧電源生成部２５０Ｈと低電圧電源生成部（ＬＶＰＳ）２５０Ｌを入力源として、第７のサブ電源スイッチ２７７（以下、「ＳＷ−７」という場合がある。）を介して、画像形成部２４０に接続されている。
【００３８】
前記第２のサブ電源スイッチ２６８、第３のサブ電源スイッチ２７０、第４のサブ電源スイッチ２７２、第５のサブ電源スイッチ２７４、第６のサブ電源スイッチ２７６、第７のサブ電源スイッチ２７７は、それぞれ前記第１のサブ電源スイッチ２５６と同様に、メインコントローラ２００の電源供給制御回路２５２からの電源供給選択信号に基づいて、オン・オフ制御される。
【００３９】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００４０】
ここで、本実施の形態では、メインコントローラ２００において、電源供給制御回路２５２で、ＳＷ−１〜ＳＷ−７のスイッチのオン・オフを制御して、各処理機能に応じたデバイスを選択して、必要最小限のデバイスに電力を供給する（待機モード）と共に、不必要なデバイスに対しては電力供給を遮断（スリープモード）する、所謂「部分節電」を可能としている。
【００４１】
例えば、画像形成部２４０は、画像読取機能やファクシミリ送信機能（レポート出力を除く）では適用されないため、「部分節電」という観点からは、電力供給が遮断されるデバイスとなる。しかし、画像形成部２４０には、加熱媒体（ハロゲンランプやヒータ等）の温度制御が必要な定着部があり、電力の供給が遮断されると、全く温度制御ができない。このため、画像形成部２４０では、定着部の加熱媒体を待機モード時よりも低い、「ローパワー」状態で温度を維持するようにしている（省電力モード）。
【００４２】
ここで、各デバイスが節電状態となっているとき、節電ボタン２１９が操作されたり、ＵＩタッチパネル或いはハードキーの操作によって、処理機能が指示された場合、或いはリモートジョブを受け付けた場合（プリント、ファクシミリを含む）等、当該処理機能に必要なデバイスが選択されて部分節電状態から復帰するようになっている。言い換えれば、処理機能を実行するために必要のないデバイスは節電を維持することになる。
【００４３】
ところで、画像読取部２３８では、原稿を読み取る場合、２種類の原稿を装填形態がある。すなわち、図３に示される如く、画像読取部２３８の上面に取り付けられた開閉部材２４を開放し、透明板状（例えば、ガラス板）の原稿台２６に１枚ずつ原稿を置き、開閉蓋２４を閉止して読み取る形態（以下、「プラテン読取」という）と、前記開閉部材２４に設けられた自動送り機構部２８の受け台２８Ａへ複数枚の原稿を束ねた状態で置き、自動的に１枚ずつ送り出して、読み取る形態（以下、「ＤＡＤＦ読取」という）がある。
【００４４】
ここで、ＤＡＤＦ読取の場合、原稿を束ねて置く位置に原稿検出センサ（図示省略）があり、この原稿検出センサによって原稿を検出することで、節電モード中の画像読取部２３８を復帰（電力供給状態）させる。また、原稿が送り出されるため、この送り出し動作中に原稿のサイズや向きが判定される。このため、節電モード中の画像読取部２３８において、ＤＡＤＦ読取に関しては、特に、前もって処理機能を指定する操作をしなくても、原稿を置くことで、節電モードからの復帰が可能である。
【００４５】
一方、プラテン読取に関しては、画像読取部２３８が通常状態（電力供給状態）において、開閉部材２４を閉じる動作を検出して原稿のサイズ及び向きを判別するようになっている。
【００４６】
すなわち、図３に示される如く、画像読取部２３８には、開閉部材２４の開閉動作を検出する開閉動作センサ３０が設けられている。また、原稿台２６の下部空間には、走査機構部３３が設けられ、この走査機構部３３には、光源部３４と図示しない光学系が組み込まれている。また、原稿台２６の下部空間の底部には、ＣＣＤラインセンサ３２が設けられている。
【００４７】
画像読取動作は、原稿台２６に置かれた原稿は、走査機構部３３が図３の点線矢印方向に移動することで、原稿面を走査し、この走査によって案内された光（原稿反射光）をＣＣＤラインセンサ３２で検出する。
【００４８】
一方、開閉部材２４が開放され、原稿が原稿台２６に置かれた後、開閉部材２４が閉止動作を検出すると、画像読取構造を用いて、原稿のサイズ・向きが検出されるようになっている。
【００４９】
すなわち、前記開閉部材２４が閉止動作を検出すると、光源部３４が点灯して、前記ＣＣＤラインセンサ３２で光を検出する。開閉部材２４が完全閉止されていない状態で光源部３４が点灯するため、原稿が存在する領域と原稿が存在しない領域との検出濃度差が大きく異なり、ＣＣＤラインセンサ３２の検出状態で、原稿のサイズ及び向きが検出可能である。
【００５０】
なお、原稿のサイズ・向きを検出するために、原稿台２６の周縁の適宜位置に複数の原稿端検出センサを配置してもよい。
【００５１】
ここで、画像読取部２３８が節電モード中の場合、当然開閉動作センサ３０、ＣＣＤラインセンサ３２、光源３４等は機能しない。
【００５２】
このため、原稿を原稿台２６を置いて、開閉部材２４を閉止しても反応しないことになる。そこで、本実施の形態では、原稿を置いた開閉部材２４を閉止した後に、節電復帰動作（節電ボタン２１９の操作、或いは画像読取機能を含む処理機能の選択）があった場合に、復帰処理後、ＵＩタッチパネル２１６へ原稿のサイズ、向きを指定する画面を表示し、同時に、開閉部材２４を開閉動作する旨のメッセージ（例えば、『原稿台の蓋を一旦開放し、ゆっくり閉めてください。』）を表示するようにした。
【００５３】
図４は、節電モードからの復帰の際に、原稿のサイズ、向きを判別する制御を機能的に示したブロック図である。
【００５４】
画像読取部２３８には、サイズ判別制御部３６が設けられ、前述した開閉動作センサ３０、ＣＣＤラインセンサ３２、光源部３４が接続されている。なお、図示は省略したが、ＣＣＤラインセンサ３２、光源部３４は画像読取制御系にも接続されている。
【００５５】
サイズ判別制御部３６には、メインコントローラ２００の判別指示部３８が接続されている。判別指示部３８には、節電復帰要因があったとき、画像読取部２３８に対して、原稿のサイズ、向きを判別することを指示する。この指示により、サイズ判別制御部３６は、サイズ判別動作を行う。
【００５６】
サイズ判別動作とは、開閉部材２４の閉止動作を検出し、光源部３４を点灯し、ＣＣＤラインセンサ３２により原稿の端部を検出する。
【００５７】
サイズ判別制御部３６部には、センサ信号受付部４０が接続され、ＣＣＤラインセンサ３２からの信号を受け付ける。
【００５８】
センサ信号受付部４０は、サイズ・向き判別部４２に接続され、このサイズ・向き判別部４２では、ＣＣＤラインセンサ３２の信号に基づいて、サイズ・向きを判別する。
【００５９】
サイズ・向き判別部４２の判別結果は、判別可否判定部へ送出される。判別可否判定部４４では、原稿のサイズ・向きを判別できたか否かが判定されるようになっている。
【００６０】
判別可否判定部４４において、原稿のサイズ・向きの判別できたと判定された場合には、画像読取部制御系を当該原稿のサイズ・向き情報を送出する。
【００６１】
一方、判別可否判定部４４において、原稿のサイズ・向きの判別できない場合には、表示情報編集部４６へ判別不可情報を送出する。
【００６２】
表示情報編集部４６では、原稿のサイズ、向きを指定する画面情報と、開閉部材２４を開閉動作する旨のメッセージ情報（例えば、『原稿台の蓋を一旦開放し、ゆっくり閉めてください。』）とを編集し、ＵＩ制御回路２１４を介して、ＵＩタッチパネル２１６の表示画面に表示する。
【００６３】
以下に本実施の形態の作用を、図５のフローチャートに従い説明する。図５は、画像読取部節電中制御ルーチンである。
【００６４】
ステップ１００では、節電復帰要因に従い判別指示があったか否かが判断され、否定判定された場合は、このルーチンは終了する。
【００６５】
また、ステップ１００で肯定判定されるとステップ１０２へ移行して、判別動作処理が実行される。この判別動作処理は、開閉部材２４の閉止動作で光源３４を点灯し、ＣＣＤラインセンサ３２で原稿端を検出する動作である。
【００６６】
次のステップ１０４では、判別可否判定を行う。すなわち、前記ステップ１０２で判別動作処理で原稿のサイズ・向きが判別できたか否かの判定である。このステップ１０４で肯定判定（判別可）された場合は、ステップ１０６へ移行する。
【００６７】
また、ステップ１０４で否定判定（判別不可）された場合は、ステップ１０８へ移行して、サイズ指定画面情報を読み出し、次いでステップ１１０へ移行して開閉部材２４の開閉動作を促すメッセージ情報（例えば、『原稿台の蓋を一旦開放し、ゆっくり閉めてください。』）を読み出し、ステップ１１２へ移行する。ステップ１１２では、上記ステップ１０８、１１０で読み出した情報を合成し、ステップ１１４へ移行する。
【００６８】
ステップ１１４では、ＵＩタッチパネル２１６に上記合成情報を表示し、ステップ１１６へ移行する。
【００６９】
ステップ１１６では、ＵＩタッチパネル２１６からユーザーの入力操作があったか否かが判断され、肯定判定、すなわち、サイズ指定画面に基づく入力操作があったと判断されると、ステップ１０６へ移行する。
【００７０】
また、ステップ１１６で否定判定されると、ステップ１１８へ移行して開閉部材２４の開放動作があったか否かが判断され、否定判定されると、ステップ１１６へ戻り、ステップ１１６、１１８の何れかで肯定判定されるまで、繰り返す。
【００７１】
ステップ１１８で肯定判定（開閉部材２４の開放動作有）されると、ステップ１０２へ戻り、上記工程を繰り返す。
【００７２】
前記ステップ１０６では、サイズ・向き情報を取得し、次いでステップ１２０へ移行してサイズ・向き情報を画像読取部２３８の画像読取制御系へ送出し、このルーチンは終了する。
【００７３】
（変形例）
なお、本実施の形態では、画像読取部の復帰要因があったときに画像読取部２３８の検出センサ制御部３６に対して、判別指示を出力するようにしたが、開閉部材２４の開放動作を検出して復帰動作するようにしてもよい。この場合、原稿を原稿台２６へ置いて、開閉部材２４を閉じるまでの時間と、画像読取部２３８が復帰動作を完了するまでの時間と、により制御が異なる。
【００７４】
図６は、変形例に係る画像読取部節電中制御ルーチンである。なお、図５のフローチャートと同一制御のステップについては、同一の符号の末尾に「Ａ」を付す。
【００７５】
ステップ１２２では、画像読取部２３８の復帰要因があったか否かが判断される。この復帰要因としては、節電ボタン２１９の操作、処理機能指示、ＤＡＤＦ読取等である。このステップ１２２で肯定判定された場合は、ステップ１２４へ移行して、復帰要因に応じた復帰処理を実行して、このルーチンは終了する。
【００７６】
また、ステップ１２２で否定判定されると、ステップ１２６へ移行して、開閉部材２４の開放動作があったか否かが判断される。このステップ１２６で否定判定されるとこのルーチンは終了する。
【００７７】
ステップ１２６で肯定判定されると、ステップ１０２Ａへ移行して、判別動作処理が実行される。この判別動作処理は、開閉部材２４の閉止動作で光源３４を点灯し、ＣＣＤラインセンサ３２で原稿端を検出する動作である。
【００７８】
次のステップ１０４Ａでは、判別可否判定を行う。すなわち、前記ステップ１０２Ａで判別動作処理で原稿のサイズ・向きが判別できたか否かの判定である。このステップ１０４Ａで肯定判定（判別可）された場合は、ステップ１０６Ａへ移行する。
【００７９】
また、ステップ１０４Ａで否定判定（判別不可）された場合は、ステップ１０８Ａへ移行して、サイズ指定画面情報を読み出し、次いでステップ１１０Ａへ移行して開閉部材２４の開閉動作を促すメッセージ情報（例えば、『原稿台の蓋を一旦開放し、ゆっくり閉めてください。』）を読み出し、ステップ１１２Ａへ移行する。ステップ１１２Ａでは、上記ステップ１０８Ａ、１１０Ａで読み出した情報を合成し、ステップ１１４Ａへ移行する。
【００８０】
ステップ１１４Ａでは、ＵＩタッチパネル２１６に上記合成情報を表示し、ステップ１１６Ａへ移行する。
【００８１】
ステップ１１６Ａでは、ＵＩタッチパネル２１６からユーザーの入力操作があったか否かが判断され、肯定判定、すなわち、サイズ指定画面に基づく入力操作があったと判断されると、ステップ１０６Ａへ移行する。
【００８２】
また、ステップ１１６Ａで否定判定されると、ステップ１１８Ａへ移行して開閉部材２４の開放動作があったか否かが判断され、否定判定されると、ステップ１１６Ａへ戻り、ステップ１１６Ａ、１１８Ａの何れかで肯定判定されるまで、繰り返す。
【００８３】
ステップ１１８Ａで肯定判定（開閉部材２４の開放動作有）されると、ステップ１０２へ戻り、上記工程を繰り返す。
【００８４】
前記ステップ１０６Ａでは、サイズ・向き情報を取得し、次いでステップ１２０へ移行してサイズ・向き情報を画像読取部２３８の画像読取制御系へ送出し、このルーチンは終了する。
【符号の説明】
【００８５】
２０    ネットワーク通信回線網
２２    電話回線網
２４    開閉部材
２６    原稿
２８    自動送り機構部
２８Ａ    受け台
３０    開閉動作センサ
３２    ＣＣＤラインセンサ
３４    光源部
３６    サイズ判別制御部
３８    判別指示部
４０    センサ信号受付部
４２    サイズ・向き判別部
４４    判別可否判定部
４６    表示情報編集部
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２２４    画像読取制御部
２２６    画像形成制御部
２２８    画像複写制御部
２３０    ファクシミリ受信制御部
２３２    ファクシミリ送信制御部
２３４    デバイス選択Ｉ／Ｆ
２３６    ファクシミリ通信制御回路
２３８    画像読取部
２３８Ａ    原稿送り機構
２４０    画像形成部
２４２    商用電源
２４４    入力電源線
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    高電圧電源生成部
２５０Ｌ    低電圧電源生成部
２５８    画像読取機能電源供給部
２６０    画像形成機能電源供給部
２６２    画像複写機能電源供給部
２６４    ファクシミリ受信機能電源供給部
２６６    ファクシミリ送信機能電源供給部
２６７    画像形成部専用電源供給部
２６８    第２のサブ電源スイッチ（「ＳＷ−２」）
２７０    第３のサブ電源スイッチ（「ＳＷ−３」）
２７２    第４のサブ電源スイッチ（「ＳＷ−４」）
２７４    第５のサブ電源スイッチ（「ＳＷ−５」）
２７６    第６のサブ電源スイッチ（「ＳＷ−６」）
２７７    第７のサブ電源スイッチ（「ＳＷ−７」）
【図１】
2011259077.tif 000003
【図２】
2011259077.tif 000004
【図３】
2011259077.tif 000005
【図４】
2011259077.tif 000006
【図５】
2011259077.tif 000007
【図６】
2011259077.tif 000008